(57)【要約】  【課題】  ボルトの位置にかかわらず、ボルト回転方向の確認動作を行わなくても、正確にボルトを締める又は緩めることができる電動回転工具を提供する。  【解決手段】  本体部１の外部には電動モータ３を動作させるためのスイッチ１１が配置され、スイッチ１１はレバー１１１を備えた３極のトグルスイッチであり、スイッチ１１のレバー１１１を前進方向に倒すとボルトＢｔが前進し、締まり、スイッチ１１のレバー１１１を後進方向に倒すとボルトＢｔが後進し、緩む。【選択図】      図２
2007015088.tif 000002
【特許請求の範囲】
【請求項１】
本体部と、前記本体部の内部に配置される電動モータと、前記電動モータの駆動軸と連
結する回転部と、前記回転部に着脱可能に結合しボルトを締める又は緩めることができる
ドライバビットと、前記本体部の外周面に取り付けられ前記電動モータを駆動させて回転
工具を回転させる駆動スイッチとを有する電動回転工具において、
前記駆動スイッチは３接点型のトグルスイッチであって、駆動モータを停止するニュー
トラル位置と、前記ドライバビットを右ねじが締まる方向に回転させるようにモータを駆
動する第１駆動位置と、前記ドライバビットを右ねじが緩む方向に回転させるように前記
モータを駆動する第２駆動位置とを有しており、
前記駆動スイッチは前記ニュートラル位置を中心に第１駆動位置及び第２駆動位置が対
向するように前記本体部の軸線に沿って直線状に配置され、該スイッチは使用しないとき
にはニュートラル位置に戻るように付勢されており、
前記第１駆動位置は前記ニュートラル位置に対してドライバビット側に位置しており、
第２駆動位置はその反対側に位置することを特徴とする電動回転工具。
【請求項２】
本体部と、前記本体部の内部に配置される電動モータと、前記電動モータの駆動軸と連
結する回転部と、前記回転部に着脱可能に結合しボルトを締める又は緩めることができる
回転工具と、前記本体部の外周面に取り付けられ前記電動モータを駆動させて回転工具を
回転させる駆動スイッチとを有する電動回転工具において、
前記駆動スイッチは３接点型のであって、駆動モータを停止するニュートラル位置と、
前記回転工具を右ねじが締まる方向に回転させるようにモータを駆動する第１駆動位置と
、前記回転工具を右ねじが緩む方向に回転させるように前記モータを駆動する第２駆動位
置とを有しており、
前記駆動スイッチは前記ニュートラル位置を中心に第１駆動位置及び第２駆動位置が対
向するように前記本体部の軸線に沿って直線状に配置され、該スイッチは使用しないとき
にはニュートラル位置に戻るように付勢されており、
前記第１駆動位置は前記ニュートラル位置に対して回転工具側に位置しており、第２駆
動位置はその反対側に位置することを特徴とする電動回転工具。
【請求項３】
前記スイッチはトグルスイッチであることを特徴とする請求項２に記載の電動回転工具
。
【請求項４】
前記スイッチはスライドスイッチであることを特徴とする請求項２に記載の電動回転工
具。
【発明の詳細な説明】
【技術分野】
【０００１】
本発明は、ねじの締め／緩め、物品への孔あけ及びねじ切り等に用いられる電動回転工
具に関するものである。
【背景技術】
【０００２】
従来、物品の組立時のねじの螺合には、作業の効率化のため電動回転工具（電動ドライ
バ）が利用されている。前記電動ドライバは電動モータの駆動力を利用してドライバビッ
トを回転させることで、前記ドライバビットの先端と係合したボルトの頭を回動させて該
ボルトを回動させるものである。
【０００３】
図５に従来の電動回転工具の一例である電動ドライバの側面図を示す。図５に示す電動
ドライバＢは、本体部９１と、本体部９１の内部に配置される電動モータ９２と、電動モ
ータ９２の出力軸９２１に連結された回転部９３とを有している。図５に示す電動ドライ
バＢの本体部９１の内部には電動モータ９２を駆動させるための電力を供給する電源（こ
こでは蓄電池９４）が配置されている。駆動モータ９２は電流の流れる方向を切り替える
ことで、回転方向を変化させることができる。
【０００４】
回転部９３の先端にはボルトの頭と係合するためのドライバビット９３１が取り付けら
れている。ドライバビット９３１は着脱可能であり、ボルトの形状及び大きさ（ボルト頭
のドライバ係合部の形状及び大きさ）にあわせて取り替えることができる。
【０００５】
電動ドライバＢの本体部９１の外周部には、電動ドライバＢの動作を切り替えるための
スイッチ９１０が取り付けられている。スイッチ９１０は第１押部９１１と第２押部９１
２とを有している。図５に示すように、スイッチ９１０は電動ドライバＢの外周部の周方
向に、第１押部９１１及び第２押部９１２が並ぶように配置される。スイッチ９１０は常
時開接点のスイッチであり、第１押部９１１が押されている間、第１押部９１１の方向に
回転部９３が回転し、放すとスイッチ９１０が戻り停止する。第２押部９１２も同様で、
第１押部９１１を押したときと反対方向に回転する。
【０００６】
通常物品を締め付けたり、組み合わせて固定したりするときに使うボルトＢｔには、右
ねじの雄ねじが形成されている。このボルトＢｔを締めるときには、電動ドライバＢから
ボルトＢｔを見たときに時計回り方向に回転部９３を回転させ、ドライバビット９３１で
ボルトＢｔを回転させる。すなわち、ドライバビット９３１の先端をボルトＢｔの頭に係
合し、スイッチ９１０の第１押部９１１を押すことで、ボルトＢｔを締めることができる
。
【０００７】
逆に、ボルトＢｔを緩めるにはスイッチ９１０の第２押部９１２を押して、電動ドライ
バＢからボルトＢｔを見たときに時計回り方向に回転部９３を回転させ、ドライバビット
９３１でボルトＢｔを回転させて緩める。
【特許文献１】特開２００３−５１１８１号公報
【発明の開示】
【発明が解決しようとする課題】
【０００８】
例えば、工場の組み立てライン等で製品を組み立てる場合、流れてくる製品に部品を配
置し、ボルト止めする又はボルトを外す。このとき、ボルト止めの位置は組立作業者から
見て製品の正面、上面であれば、作業者はボルト（締め又は外しのため）の回転方向を迅
速に認識し、電動ドライバＢを正確に使用することができる。このとき、電動ドライバＢ
の回転部９３の回転方向はスイッチ９１０の第１押部９１１又は第２押部９１２の方向と
対応しており、一度回転させなくてもボルトを正しい回転方向に回転させることができる
。
【０００９】
しかしながら、前記製品上でのボルトの位置が背面、側面、底面及び斜め方向である場
合、ボルト（右ねじ）を締める又は緩めるためのボルト回転方向を瞬時に認識するのは困
難な場合が多く、ボルトを締める又は緩めるための回転方向を間違えやすい。特に、利き
手と、利き手でない手両方に持ち替えて作業する場合、ボルトの回転方向を間違えやすい
。ボルトの回転方向を間違えると、例えば、締め付けられたボルトをさらに締める方向に
回してしまった場合、ボルト頭をなめてしまったり、ねじ溝をつぶしてしまったりといっ
た不具合が発生する。
【００１０】
このような、不具合の発生を防ぐためにボルトを締める又は緩めるための確認が必要で
ある。この確認のために電動ドライバＢを駆動させ、ドライバビット９３１の回転方向を
確認するのは無駄な時間が必要となる。
【００１１】
また、回転方向確認のために回転させるのでその分無駄な電力を消費する。さらに、電
動ドライバＢが蓄電池で駆動するものの場合、確認のたびに無駄な電力を消費するので、
１度の充電で締め付ける又は緩めることができるボルトの数が減少し、それだけ、効率が
悪い。
【００１２】
そこで本発明は、ボルトの位置にかかわらず、ボルト回転方向の確認動作を行わなくて
も、正確にボルトを締める又は緩めることができる電動回転工具を提供することを目的と
する。
【課題を解決するための手段】
【００１３】
上記目的を達成するために本発明は、本体部と、前記本体部の内部に配置される電動モ
ータと、前記電動モータの駆動軸と連結する回転部と、前記回転部に着脱可能に結合しボ
ルトを締める又は緩めることができるドライバビットと、前記本体部の外周面に取り付け
られ前記電動モータを駆動させて回転工具を回転させる駆動スイッチとを有する電動回転
工具において、前記駆動スイッチは３接点型のトグルスイッチであって、駆動モータを停
止するニュートラル位置と、前記ドライバビットを右ねじが締まる方向に回転させるよう
にモータを駆動する第１駆動位置と、前記ドライバビットを右ねじが緩む方向に回転させ
るように前記モータを駆動する第２駆動位置とを有しており、前記駆動スイッチは前記ニ
ュートラル位置を中心に第１駆動位置及び第２駆動位置が対向するように前記本体部の軸
線に沿って直線状に配置され、該スイッチは使用しないときにはニュートラル位置に戻る
ように付勢されており、前記第１駆動位置は前記ニュートラル位置に対してドライバビッ
ト側に位置しており、第２駆動位置はその反対側に位置することを特徴とする電動回転工
具を提供する。
【００１４】
ボルトを閉めるときに電動回転工具を動作させて、回転方向を確認しなくても、ボルト
の締め／緩めにあわせて電動回転工具を動作させることができる。また、ボルトの取り付
け位置にかかわらず、迅速に該ボルトを締める／緩めることができる。
【００１５】
上記目的を達成するために本発明は、本体部と、前記本体部の内部に配置される電動モ
ータと、前記電動モータの駆動軸と連結する回転部と、前記回転部に着脱可能に結合しボ
ルトを締める又は緩めることができる回転工具と、前記本体部の外周面に取り付けられ前
記電動モータを駆動させて回転工具を回転させる駆動スイッチとを有する電動回転工具に
おいて、前記駆動スイッチは３接点型のであって、駆動モータを停止するニュートラル位
置と、前記回転工具を右ねじが締まる方向に回転させるようにモータを駆動する第１駆動
位置と、前記回転工具を右ねじが緩む方向に回転させるように前記モータを駆動する第２
駆動位置とを有しており、前記駆動スイッチは前記ニュートラル位置を中心に第１駆動位
置及び第２駆動位置が対向するように前記本体部の軸線に沿って直線状に配置され、該ス
イッチは使用しないときにはニュートラル位置に戻るように付勢されており、前記第１駆
動位置は前記ニュートラル位置に対して回転工具側に位置しており、第２駆動位置はその
反対側に位置することを特徴とする電動回転工具を提供する。
【００１６】
前記構成の電動回転工具において、前記スイッチはトグルスイッチであってもよく、ス
ライドスイッチであってもよい。前記スイッチは使用者が回転工具の進む方向、換言する
と、いわゆる右ねじが形成されたボルト、ドリルの進む方向をスイッチを見ることなく、
直感的に入力することができるスイッチを広く採用することができる。中でもレバーが突
出するトグルスイッチは使用者がスイッチの位置を認識しやすく望ましい。
【発明の効果】
【００１７】
本発明によると、ボルトの位置にかかわらず、ボルト回転方向の確認動作を行わなくて
も、正確にボルトを締める又は緩めることができる電動回転工具を提供することができる
。
【００１８】
ボルトの配置が特殊な位置にある場合（使用者がボルトを直視できない場合、聞き手で
ない手で操作しなくてはいけない場合等）であっても、ボルトを締める／緩めるための回
転方向を意識しなくても、正しい方向にドライバビットを回転させることができ、人為的
なミスを減らすことができる。
【００１９】
また、ボルトを締める／緩める前に電動回転工具を回転させて、回転方向を確認しなく
てもよく、消費電力量を低減することができ、それだけ、省エネルギー化を図ることがで
きる。
【発明を実施するための最良の形態】
【００２０】
以下に本発明の実施形態を図面を参照して説明する。図１に本発明にかかる電動回転工
具の１つである電動ドライバの側面図を示す。図１に示す電動ドライバＡは本体部１と、
回転部２とを有している。本体部１内部には電動モータ３と、電動モータ３に駆動用の電
力を供給するための電源４とが備えられている。電源４はここでは、充電池である。本体
部１はそれには限定されないが円筒形状を有している。回転部２の中心軸は、本体部１の
中心軸と重なるよう、且つ、回動可能に配置される。
【００２１】
本体部１の外部には電動モータ３を動作させるためのスイッチ１１が配置されている。
電動モータ３は駆動軸３１を有しており、電動モータ３に電力を供給することで駆動軸３
１が回転する。このとき、電動モータ３に供給される電力を変化させることで、駆動軸３
１から発生する回転トルクを変えることができ、回転方向も変更することができる。
【００２２】
回転部２は本体部１に回動可能に支持される回転軸２１と、回転工具（ここでは、ドラ
イバビット２２）を取り付けるためのチャック機構（図示省略）とを有している。回転部
２の回転軸２１は電動モータ３の駆動軸３１と連結されている。図１に示す電動ドライバ
Ａでは電動モータ３の駆動軸３１と回転部２の回転軸２１とが直結されているが、それに
限定されるものではなく、一定以上のトルクが伝達されないようにするトルクリミッタや
、例えば遊星歯車機構等を有する減速機構を介して連結されていてもよい。
【００２３】
スイッチ１１はレバー１１１を備えた３極のトグルスイッチであり、中央に配置される
とともに中央を挟んで反対方向に倒すことができる。図１に示すように、スイッチ１１は
レバー１１１の倒し方向が本体部Ｃの中心軸に沿うように配置されている。レバー１１１
は常に中央に戻るように付勢されており、レバー１１１が中央に配置されているときは電
動モータ３には通電しない（スイッチＯＦＦになる）ようになっている。
【００２４】
物品や部材を締め付けるのに用いられるボルトは特殊な用途に用いられるものを除き、
右ねじが形成されている。右ねじは軸方向にみて右回転（時計回り）に回動させることで
前進し、左回転（反時計回り）に回動させることで後退する。図２（Ａ）〜（Ｃ）に図１
に示す電動ドライバの各スイッチ入力状態における回動部及び回転工具の回動方向を示す
。ここで、図２（Ａ）〜（Ｃ）において、電動ドライバＡの下側にドライバビット２２が
取り付けられているものとする。ここで、ボルトＢｔの前進方向とはボルトＢｔの頭が備
えられているのと反対側であり、後進方向とはボルトＢｔの頭が供えられている側である
。以下、前進方向、後退方向は同様に表記する。
【００２５】
図２（Ａ）に示す電動ドライバＡはスイッチ１１のレバー１１１が下側Ｆに倒れた状態
になっている。このとき、電動ドライバＡの回転部２は図中矢印Ａｒ１に示すとおり、紙
面に向かって時計回りに回動する。すなわち、電動ドライバＡはドライバビット２２をボ
ルトＢｔの頭に当接し、レバー１１１をボルトＢｔの方に倒して、ボルトＢｔを時計回り
方向に回動させ、ボルトＢｔは回動しつつ前進する。すなわち、ドライバビット２２と係
合しているボルトＢｔはレバー１１１の倒し方向（Ｆ方向）に前進し、それにより、ボル
トＢｔは締まる。
【００２６】
また図２（Ｂ）に示す電動ドライバＡはスイッチ１１のレバー１１１が上側Ｒに倒れた
状態になっている。このとき、電動ドライバＡの回転部２は図中矢印Ａｒ２に示すとおり
、紙面に向かって反時計回りに回動する。すなわち、電動ドライバＡはドライバビット２
２をボルトＢｔの頭に当接し、レバー１１１をボルトＢｔと反対側に倒すことで、ボルト
Ｂｔを反時計回り方向に回動し、ボルトＢｔは回動しつつ後進する。すなわち、ドライバ
ビット２２と係合しているボルトＢｔはレバー１１１の倒し方向（Ｒ方向）に後進し、そ
れにより、ボルトＢｔは緩む。
【００２７】
さらに図２（Ｃ）に示す電動ドライバＡはスイッチ１１のレバー１１１が中央Ｃに位置
している。このとき、電動ドライバＡの回転部２は停止している。すなわち、電動ドライ
バＡを使用しないときは、スイッチ１１のレバー１１１は中央Ｃで停止している。
【００２８】
以上より、電動ドライバＡはドライバビット２２をボルト頭に当接し、スイッチ１１の
レバー１１１をドライバビット２２が取り付けられている側（ボルトＢｔが前進する方向
）に倒すと、ドライバビット２２がボルトＢｔを時計回りに回転させ、ボルトＢｔはねじ
込み方向、すなわち、レバー１１１を倒した方向に前進し締まる。また、レバー１１１を
ドライバビット２２が取り付けられている側と逆（ボルトＢｔが後進する方向）に倒すと
、ボルトＢｔを反時計回りに回転させ、ボルトＢｔは抜ける方向、すなわち、レバーを倒
した方向に後進する。
【００２９】
このように、電動ドライバＡはスイッチ１１のレバー１１１の倒し方向と、右ねじが形
成されたボルトＢｔの進行方向が一致するので、作業者が回転方向を認識しにくい位置に
ボルトの取り付け位置があったり、利き手と利き手でない方の手とを頻繁に持ち替えて使
用する場合であったりしても、ボルトの締め又は緩め方向を迷わなくてもよく、それだけ
、迅速にストレス無く作業を行うことができる。
【００３０】
図３に示すように、電動ドライバＡ２はドライバビット２２の替わりにドリルビット２
３を取り付けてもよい。ドリルビット２３を取り付けることで孔あけ用ドリルとして利用
することができる。ドリルビット２３は孔をあけるときは時計回りにまわしつつ進み、孔
を開け終わった後、逆回転させながら引き抜く場合が多い。図３に示すようにスイッチ１
１を形成することで、孔あけ場所にかかわらず、簡単に孔をあけることができる。
【００３１】
図４に本発明にかかる電動回転工具の他の例の側面図を示す。図３に示すように電動ド
ライバＡ３のスイッチ１２をスライドスイッチにしてもよい。スイッチ１２は図１に示す
電動ドライバＡ３のスイッチ１２と同様に中央が停止のニュートラル位置であり、常にニ
ュートラル位置に戻るように力が付勢されている。このようにスイッチ１２としてスライ
ドスイッチを用いることで、電動ドライバＢを平面上に配置するときに、突起部が小さい
ので破損しにくい。
【００３２】
上記各実施例において、スイッチとしてトグルスイッチ、スライドスイッチを例に説明
しているが、それに限定されるものではなく、使用者が回転工具を回転させて目視するこ
となく、ボルトＢｔの締め／緩めを行うことができるスイッチを広く採用することができ
る。
【産業上の利用可能性】
【００３３】
本発明は、電動ドライバ、電動ドリル等のモータによって先端を正転、逆転させる電動
回転工具において適用することができる。
【図面の簡単な説明】
【００３４】
【図１】本発明にかかる電動回転工具の一例の側面図である。
【図２】図（Ａ）〜（Ｃ）に図１に示す電動ドライバの各スイッチ入力状態における回動部及び回転工具の回動方向を示す図１に示す光ディスク装置の側断面図である。
【図３】本発明にかかる電動回転工具の他の例の側面図である。
【図４】本発明にかかる電動回転工具の他の例の側面図である。
【図５】従来の電動回転工具の一例である電動ドライバの側面図である。
【符号の説明】
【００３５】
Ａ、Ａ２、Ａ３、Ｂ  電動ドライバー
１  本体部
１１  スイッチ
１１１  レバー
２  回転部
２１  回転軸
２２  ドライバビット
３  電動モータ
３  駆動軸
【図１】
2007015088.tif 000003
【図２】
2007015088.tif 000004
【図３】
2007015088.tif 000005
【図４】
2007015088.tif 000006
【図５】
2007015088.tif 000007